(57)【要約】  患者（１１０）をモニタリングする方法は、この患者からのモニタリングされた信号の組に対する凸包を決定し、これら凸包の１つ以上に摂動が起きたかを判断することを含む。この例示的な実施例は、凸包の各々が摂動した場合、臨床上重大な変化が患者に起きたことをオペレータに警報することも含んでいる。凸包のサブセットだけが摂動する場合、場合によってはアーチファクトが起こる。
2007518486.tif 000002
【特許請求の範囲】
【請求項１】
患者をモニタリングする方法において、
−第１の複数のポイントに対する第１の凸包を決定し、前記第１の複数のポイントの各ポイントは、特定の時点における第１のモニタリングされた信号の値である第１の座標及び前記特定の時点における第２のモニタリングされた信号の値である第２の座標を持ち、
−第２の複数のポイントに対する第２の凸包を決定し、前記第２の複数のポイントの各ポイントは、特定の時点における第３のモニタリングされた信号の値である第１の座標及び前記特定の時点における第４のモニタリングされた信号の値である第２の座標を持ち、
−前記第１及び第２の凸包のどちらかに摂動が起きたかを判断するために、前記第１及び第２の凸包をモニタリングし、
−前記第１及び第２の凸包の一方に摂動を検出する際、前記第１及び第２の凸包の他方に摂動が起きたかを判断し、及び
−前記第１及び第２の凸包の両方に摂動が起きた場合、臨床上重大な変化が患者に起きたことをオペレータに警報する
ことを有する方法。
【請求項２】
患者をモニタリングする方法において、
−前記患者からのモニタリングされた信号の複数の組に対する複数の凸包を決定し、
−前記複数の凸包の１つ以上に摂動が起きたかを判断する
ことを有する方法。
【請求項３】
前記複数の凸包の各々が摂動した場合、臨床上重大な変化が前記患者に起きたことをオペレータに警報することをさらに有する請求項２に記載の方法。
【請求項４】
−前記患者からのモニタリングされた信号の複数の組に対する複数の凸包を決定し、及び
−前記複数の凸包の各々に摂動が起きたとの判断に基づいて潜在的な臨床上重大な変化を示す
ことを有する患者をモニタリングする方法。
【請求項５】
−前記複数の凸包の１つに摂動が起きたと判断し、及び
−前記複数の凸包の１つ以上の残存する凸包の各々に摂動が起きたかを判断するために、前記複数の凸包の１つ以上の残存する凸包を評価する
ことをさらに有する請求項４に記載の方法。
【請求項６】
前記複数の凸包の１つ以上の残存する凸包に摂動が起きたと判断する際、臨床上重大な変化が患者に起きたと判断することをさらに有する請求項５に記載の方法。
【請求項７】
前記複数の凸包の１つ以上の残存する凸包に摂動が起きなかったと判断する際、モニタリングされた信号の前記複数の組にアーチファクトが存在するし得ると判断する請求項５に記載の方法。
【請求項８】
−モニタリングされた信号の組の複数のプロットの複数の凸包に摂動が存在する場合、臨床上重大な変化が前記患者に起きたことを示し、及び
−モニタリングされた信号の組の前記複数のプロットの前記複数の凸包のサブセットにのみ摂動が存在し、モニタリングされた信号の組の前記複数のプロットの前記複数の凸包の残存する凸包には摂動が存在しない場合、複数のモニタリングされた信号の１つ以上にアーチファクトが存在することを示す
ことを有する方法。
【請求項９】
患者をモニタリングする装置において、
−前記患者からモニタリングされた信号を各々入力する複数のリード、
−複数の時点における前記複数のリードの各々の値を記憶するメモリ、及び
−前記複数のリードの各々に結合されるプロセッサであり、前記複数のリードから複数の信号の組に対する複数の凸包を決定し、前記複数の凸包の１つ以上に摂動が起きたかを判断するためのプロセッサ
を有する装置。
【請求項１０】
前記メモリ及び前記プロセッサに結合されるユーザインタフェースをさらに有する、又はモニタリングされた信号の組の複数のプロットの複数の凸包のサブセットだけに摂動が存在し、前記モニタリングされた信号の組の前記複数のプロットの前記複数の凸包の残存する凸包には摂動が存在しない場合、複数の前記モニタリングされた信号の１つ以上にアーチファクトが存在し得ることを示す請求項９に記載の装置において、前記プロセッサは、前記モニタリングされた信号の組の前記複数のプロットの前記複数の凸包に摂動が存在する場合、臨床上重大な変化が前記患者に起きたことを示す警報信号を前記ユーザインタフェースに出力する装置。
【請求項１１】
前記複数のリードからの前記複数の信号の各々を表示し、その他の複数の信号の１つに関して前記複数の信号の各々の複数のプロットを表示するために、前記プロセッサに結合されるディスプレイをさらに有する請求項９に記載の装置。
【請求項１２】
前記ディスプレイは前記複数のプロットの各々に対し計算された凸包を重畳する請求項１１に記載の装置。
【請求項１３】
−第１の複数のポイントに対する第１の凸包を決定し、前記第１の複数のポイントの各ポイントは、特定の時点における第１のモニタリングされた信号の値である第１の座標及び前記特定の時点における第２のモニタリングされた信号の値である第２の座標を持ち、
−第２の複数のポイントに対する第２の凸包を決定し、前記第２の複数のポイントの各ポイントは、特定の時点における第３のモニタリングされた信号の値である第１の座標及び前記特定の時点における第４のモニタリングされた信号の値である第２の座標を持ち、
−前記第１及び第２の凸包のどちらかに摂動が起きたかを判断するために、前記第１及び第２の凸包をモニタリングし、
−前記第１及び第２の凸包の一方に摂動を検出する際、前記第１及び第２の凸包の他方に摂動が起きたかを判断し、及び
−前記第１及び第２の凸包の両方に摂動が起きた場合、臨床上重大な変化が患者に起きたことをオペレータに警報する
ようにプロセッサに行わせる命令を割り当てたコンピュータ読み取り可能媒体。
【請求項１４】
前記命令はさらに前記プロセッサに、
−前記患者から複数の信号の組に対する複数の凸包を決定させ、及び
−前記複数の凸包の１つ以上に摂動が起きたかを判断させる
請求項１３に記載のコンピュータ読み取り可能媒体。
【請求項１５】
前記命令はさらに前記プロセッサに、
−前記複数の凸包の各々が摂動した場合、臨床上重大な変化が患者に起きたことをオペレータに警報させる
請求項１４に記載のコンピュータ読み取り可能媒体。
【請求項１６】
患者をモニタリングするようにプロセッサをプログラムするための複数の命令を符合化したコンピュータ読み取り可能媒体において、
−前記患者から複数の信号の組に対する複数の凸包を決定し、及び
−前記複数の凸包の各々に摂動が起きたとの判断に基づいて潜在的な臨床上重大な変化を示す
前記複数の命令を有するコンピュータ読み取り可能媒体。
【請求項１７】
前記命令はさらに、
−前記複数の凸包の１つに摂動が起きたと判断し、及び
−前記複数の凸包の１つ以上の残存する凸包の各々に摂動が起きたかを判断するために、前記複数の凸包の１つ以上の残存する凸包を評価する
ことを含む請求項１６に記載のコンピュータ読み取り可能媒体。
【請求項１８】
前記複数の命令はさらに、
−前記複数の凸包の前記１つ以上の残存する凸包に摂動が起きたと判断する際、臨床上重大な変化が前記患者に起こり得ると判断する
ことを有する請求項１７に記載のコンピュータ読み取り可能媒体。
【請求項１９】
前記複数の命令はさらに、
−前記複数の凸包の前記１つ以上の残存する凸包に摂動が起きなかったと判断する際、前記複数の信号の組にアーチファクトが存在し得ると判断する
ことを有する請求項１７に記載のコンピュータ読み取り可能媒体。
【請求項２０】
患者をモニタリングするためにプロセッサをプログラミングする複数の命令を符号化したコンピュータ読み取り可能媒体において、前記複数の命令は、
−モニタリングされた信号の組の複数のプロットの複数の凸包に摂動が存在する場合、臨床上重大な変化が患者に起こり得ることを示し、及び
−モニタリングされた信号の組の前記複数のプロットの前記複数の凸包のサブセットにのみ摂動が存在し、モニタリングされた信号の組の前記複数のプロットの前記複数の凸包の前記残存する凸包には摂動が存在しない場合、複数のモニタリングされた信号の１つ以上にアーチファクトが存在し得ることを示す、
ことを有するコンピュータ読み取り可能媒体。
【発明の詳細な説明】
【技術分野】
【０００１】
本発明は一般的にエキスパートシステム(expert system)に関し、特に患者への医療提供を支援するのに用いられるエキスパートシステムに関する。
【背景技術】
【０００２】
医療技術（例えば、生体医用センサ、モニタリングシステム及び医療装置）は、現在の集中治療室（ＩＣＵ）において完全に普及している（装置の数）だけでなく、性能においても急速に進歩している。追加のデータストリームを作り出すことは、ＩＣＵ患者人口の需要を満たすために、重大な集中治療室のスタッフ不足にも直面している医療スタッフにかなりの“情報過多”の課題を課している。
【発明の開示】
【発明が解決しようとする課題】
【０００３】
これにより、本発明は集中治療環境又は他の医療環境において手動で処理されなければならない情報量を減少させるための方法及び装置を開発する問題に向けられている。
【課題を解決するための手段】
【０００４】
本発明は、知的モジュールから成る方法及び装置を提供することにより、この問題及び他の問題を解決する。これら知的モジュールは、広範囲にわたるセンサ及びシステムから発生する複数のデータストリームを取り込むことが可能であり、臨床上重大ではない変化又はアーチファクトから、患者の状態に関する臨床上重大な変化を識別することを可能にする。
【０００５】
本発明の１つの態様によれば、患者をモニタリングする方法は、
−第１のポイントの集合に対する第１の凸包(convex hull)を決定すると共に、この第１のポイントの集合の各ポイントは、特定の瞬間における第１のモニタリングされた信号の値である第１の座標及び前記特定の瞬間における第２のモニタリングされた信号の値である第２の座標を有し、及び
−第２のポイントの集合に対する第２の凸包を決定すると共に、第２のポイントの集合の各ポイントは、特定の瞬間における第３のモニタリングされた信号の値である第１の座標及び前記特定の瞬間における第４のモニタリングされた信号の値である第２の座標を有する
ことを含んでいる。この方法はさらに、
−第１及び第２の凸包のどちらかに摂動(perturbation)が起きたかを判断するために、第１及び第２の凸包をモニタリングし、
−第１及び第２の凸包の一方に摂動を検出した場合、前記第１及び第２の凸包の他方に摂動が起きたかを判断し、及び
−第１及び第２の凸包の両方に摂動が起きた場合、臨床上重大な変化が起きたことをオペレータに警報する
ことも含んでいる。
【０００６】
本発明の他の態様によれば、患者をモニタリングする方法は、この患者からのモニタリングされた信号の組に対する凸包を決定し、及びこれら凸包の１つ以上に摂動が起きたかを判断することを有する。この例示的な実施例は、これら凸包の各々が摂動している場合、臨床上重大な変化が患者に起きたことをオペレータに警報することも含むことができる。
【０００７】
本発明のさらに他の態様によれば、患者をモニタリングする方法は、この患者からのモニタリングされた信号の組に対する凸包を決定し、及びこれら凸包の各々に摂動が起きたとの判断に基づいて、潜在的に臨床上重大な変化を示すことを含む。患者をモニタリングする方法のこの実施例は、
−凸包の１つに摂動が起きたと判断し、
−これら凸包の１つ以上の残存する凸包の各々に摂動が起きたかを判断するために、前記凸包の１つ以上の残存する凸包を評価し、
−これら凸包の１つ以上の残存する凸包に摂動が起きたと判断する場合、臨床上重大な変化が患者に起きたと判断し、及び
−これら凸包の１つ以上の残存する凸包に摂動が起きなかったと判断する場合、モニタリングされた信号の組にアーチファクトが存在し得ると判断する
ことを含むことができる。
【０００８】
本発明のさらに他の態様によれば、患者をモニタリングする方法は、
−モニタリングされた信号の組のプロットの凸包に摂動が存在する場合、臨床上重大な変化が患者に起きたことを示し、及び
−モニタリングされた信号の組のプロットの凸包のサブセットにだけ摂動が存在し、モニタリングされた信号の組のプロットの凸包の残存する凸包には摂動が存在しない場合、１つ以上のモニタリングされた信号にアーチファクトが存在し得ることを示す
ことを有する。
【０００９】
本発明のさらに他の態様によれば、患者をモニタリングする装置は、プロセッサ及びメモリを含んでいる。患者からのモニタリングされた信号を各々入力する複数のリードがプロセッサと患者とを接続している。前記メモリは複数の時点におけるこれらリードの各々の値を記憶する。プロセッサは、前記リードからの信号の複数の組に対する凸包を決定し、これら凸包の１つ以上に摂動が起きたかを判断する。本実施例は、前記メモリ及びプロセッサに結合されるインタフェースを含むこともでき、ここでプロセッサは、モニタリングされた信号の組の複数のプロットの複数の凸包に摂動が存在する場合、臨床上重大な変化が患者に起きたことを示す、又はモニタリングされた信号の組の複数のプロットの複数の凸包のサブセットにのみ摂動が存在し、モニタリングされた信号の組の複数のプロットの複数の凸包の残存する凸包には摂動が存在しない場合、複数のモニタリングされた信号の１つ以上にアーチファクトが存在し得ることを示す警報信号をユーザインタフェースに出力する。本実施例は、前記リードからの信号の各々を表示し、互いに関してこれら信号の各々のプロットを表示するために、プロセッサに結合されるディスプレイも含むこともできる。幾つかの場合では、このディスプレイはプロットの各々に対し計算された凸包を重畳することもできる。
【００１０】
上記方法は、患者をモニタリングするためにプロセッサにプログラミングする命令として、コンピュータ読み取り可能媒体にも記憶されることができる。
【発明を実施するための最良の形態】
【００１１】
ここで、“ある実施例”又は“１つの実施例”という如何なる言及も、この実施例に関連して記載される特定の機能、構造又は特徴が本発明の少なくとも１つの実施例に含まれていることを意味すると示すのに足りる。本明細書の様々な場所にある“ある実施例において”という表現は、必ずしも同じ実施例を全て参照しているわけではない。
【００１２】
ここに用いられるように、モニタリングされる信号は、モニタリング装置又はシステムによりモニタリングされた如何なる信号も含んでいる。モニタリングされる信号の例は、心電図信号、モルフォグラム(morphogram)信号、パルス速度信号、呼吸信号、脳波等を含むが、これらに限定されない。
【００１３】
本発明は、知的モジュールから成るシステムを有する。このモジュールは、広範囲にわたるセンサ及びシステムから発生する複数のデータストリームを取り込むことが可能であり、患者の状態に関する臨床上重大な変化に対し臨床上重大ではない変化又はアーチファクトを識別することを可能にする。本発明はデータストリームを融合する方法も含み、この方法は複数のパラメタモニタリング機能を可能にする。
【００１４】
本発明は、患者の現在の臨床状態を表す、モニタリングされた信号（例えばモルフォグラム）の組の集団運動(collective behavior)に基づく所与のモニタリングされた信号（又はモニタリングされた信号の組）においてアーチファクトを検出する方法及びシステムも有する。
【００１５】
モルフォグラムは、時間変化の軌跡を示すことにより２つの信号間の関係を表す。モルフォグラムは画像が正確な時点でキャプチャされなければならないゲーティング(gating)用のＭＲＩに既に用いられている。ＭＲＩを使用した冠動脈疾患の診断及び血流力学の説明に用いられる。
【００１６】
医師（又は専門家）は、（一般的にモニタリングシステムは、〜１２５サンプル毎秒で記録するため、数秒間が適当である）短期間に記録された血流力学信号の正確さを確認する。図１は、検査中の患者に対する有効な信号として受け入れられる上記信号のサンプルを示す。例えば、図１は、MCLI １１、II １２、V １３、ABP １４、PAP １５、PLETH １６及びRESP １７のモルフォグラムシステムからのリード信号を示す。これらはモニタリングされた信号の実施例を表す。
【００１７】
検討中の信号の組毎の関係をプロットすること（この場合、II １２、V １３及びABP １４信号を参照）は、それが時間と共に変化するので組毎の関係の軌跡を与える。
【００１８】
図２から図４は、呼吸不全の患者における、ABP １４と同じくII １２及びV １３のリードに対する信号の組の夫々の関係をプロットしたものを示す。関心のある３つの信号の場合、時間と共に患者の血流力学的変化をキャプチャするために、３つの同時のプロット（図２から図４参照）をプロットすることができる。
【００１９】
サブプロットの各々は、患者が如何なる臨床上重大な変化を受けない限り、時間と共にそれ自身を繰り返す明瞭な形状を持つ。血流力学測定間の相関性に永続的なパターンがあるように、残存するモルフォグラムのサブプロットに関する比較可能な変化を伴わない孤立した変化（例えば、単一のサブプロット／モルフォグラムに関する変化）は、例えばアーチファクトが存在するような、このサブプロットにプロットされている信号の重要な問題を表している。しかしながら、全ての信号のモルフォグラムに関する比較可能な変化（又は摂動）は、患者の状態に関する臨床上重大な変化を明瞭に識別し、これはアーチファクトによるものではない。図５から図７は、互いに関してプロットされた同様のII １２、V １３及びABP １４信号に対する患者の状態に関する臨床的変化によって、同じ患者が伴う摂動を示す。
【００２０】
本発明のある態様によれば、患者の状態に関する臨床的変化による摂動は、アーチファクトによる摂動が多数のモルフォグラムのサブスポットにだけ起こり、これらサブスポットの全てには起こらない一方、患者の臨床的状態に関する変化による摂動は、モルフォグラムのサブプロットの全てにおいて起こるという点で、アーチファクトによる摂動と識別されることができる。例えば、リードII １２には影響を及ぼすが他には影響を及ぼさない患者による運動は、リードII １２からの信号と、他の信号との間の関係がプロットされるプロットに影響を及ぼすであろう。これにより、全てではないが、１つより多くのプロットは、単一のリード信号内のアーチファクトにより影響される。
【００２１】
図８から図１０は、肺水腫を患う患者において図２から図７に用いられる様々なサブプロット上に、患者からモニタリングされた信号に存在するアーチファクトの結果を示す。図９及び図１０に見られる形状摂動(shape perturbation)（例えば第２及び第３のモルフォグラムのサブプロット）は、（唯一のＥＣＧベースのモルフォグラムである）第１のモルフォグラムのサブプロットに関する摂動には比例しない。これは、第２及び第３のモルフォグラムのサブプロットに共通する信号、すなわちABP １４信号に存在するアーチファクトを明瞭に示したものである。
【００２２】
本発明の他の態様によれば、形状摂動は、検討中にこの形状の凸包を調査することにより、簡単且つ効率的に量子化されることができる。凸包は問題になっているポイントを含む最小の凸集合(convex set)である。凸包を“外側の”ポイントに巻き付くゴム製のバンドと考えることも可能である。凸包は特有なものであり、任意の数のポイントに対し効率的に計算されることができる。
【００２３】
本発明の他の態様によれば、アーチファクトを検出する方法は、
Is shape (Convex hull) perturbed in a SUBSET of morphogram subplots?
If yes:
Is shape (Convex hull) perturbed consistently in the remaining?
If yes -> No artifact but CLINICALLY SIGNIFICANT
Else ARTIFACT detected in the monitored signal
と要約されることができる。
【００２４】
図１１に戻って、患者をモニタリングする方法の例示的な実施例１１０が示されている。
【００２５】
ステップ１１１において、心電図サンプルは、第１の瞬間において患者から得られる。例えば、時間ｔ１において電極１、電極２及び電極３からサンプルＥ１１、Ｅ２１、Ｅ３１が得られる。
【００２６】
ステップ１１２において、心電図サンプルは、他の瞬間において患者から得られる。例えば、時間ｔ２において電極１、電極２及び電極３からサンプルＥ１２、Ｅ２２、Ｅ３２が得られる。
【００２７】
ステップ１１３において、電極サンプルの組からなる多数の集合が作られる。例えば、集合Ｓ１２＝｛Ｐ１２１，Ｐ１２２，．．．，Ｐ１２ｎ｝は１組のサンプルから作られ、ここで、Ｐ１２１＝（Ｅ１１，Ｅ２１）、Ｐ１２２（Ｅ１２，Ｅ２２）及びＰ１２ｎ＝（Ｅ１ｎ，Ｅ２ｎ）である。集合Ｓ１３＝｛Ｐ１３１，Ｐ１３２，．．．，Ｐ１３ｎ｝が作られ、ここでＰ１３＝（Ｅ１１，Ｅ３１）、Ｐ１３２＝（Ｅ１２，Ｅ３２）及びＰ１３ｎ＝（Ｅ１ｎ，Ｅ３ｎ）である。集合Ｓ２３＝｛Ｐ２３１，Ｐ２３２，．．．，Ｐ２３ｎ｝が作られ、ここでＰ２３１＝（Ｅ２１，Ｅ３１）、Ｐ２３２＝（Ｅ２２，Ｅ３２）及びＰ２３ｎ＝（Ｅ２ｎ，Ｅ３ｎ）である。３つより大きなサンプルに対しては、他の組のために同等の集合が作られる。
【００２８】
ステップ１１４において、ポイントの各集合に対し凸包が作られる。この凸包を計算するために如何なる標準的な技法が用いられることができる。例えば、包装(gift wrapping)アルゴリズムとして知られる１つの技法は、
（１）（最小のｙ座標を持つ）最小ポイントＡを開始ポイントとして見つける。
（２）ポイント全てを通りスキャンすることにより、全てのポイントがＡＢの左側に置かれているＢを見つける。
のように動作する。線分ＡＢの左側にポイントがあるかを判断することは、関心のある３つのポイント（例えば、線分ＡＢ上に２つ及び関心のあるポイント）を含む三角形領域を計算することにより判断されることができる。三角形Ｐ０Ｐ１Ｐ２のエリアは、
【数１】
2007518486.tif 000003
であり、ここでＰ０＝（ｘ０，ｙ０）、Ｐ１＝（ｘ１，ｙ１）及びＰ２＝（ｘ２，ｙ２）である。そのエリアが正(positive)である場合、それらポイントは反時計回りの順に発生し、Ｐ２は線分Ｐ０Ｐ１の左側にある。凸包が反時計回りの順に維持される場合、このエリアは、前記凸包上の如何なる３つの連続するポイントに対しても正である。このエリアが負(negative)である場合、これらポイントは時計回りの順である。最後に、このエリアが零である場合、これら３つのポイントは同一線上にある。
（３）全てのポイントがＢＣの左側に置かれるＣを見つける。
（４）ポイントＡに到達するまで、ステップ３を繰り返し次のポイント等を見つける。
他のアルゴリズムが凸包を決定するのに使用されてもよい。
【００２９】
ステップ１１５において、凸包の各々はモニタリングされ、これら凸包に何らかの摂動が存在しているかを判断する。摂動は現在の凸包を前の凸包と比較して、例えば１つ前の頂点からかなり遠くに置かれる現在の頂点のような、かなりの違いを識別することにより判断される。例えば、かなりの違いは、平均からの幾つかの標準偏差に置かれる値であり、重心又は他の既定のしきい値から相当大きなパーセンテージ差にある値である。
【００３０】
ステップ１１６において、一度前記凸包の１つに摂動を確認すると、同様の摂動に対し他の凸包の各々が検査される。
【００３１】
ステップ１１７において、臨床上重大な変化は、同様の摂動が凸包の各々において検出されるように潜在的に起きたと特定される。
【００３２】
ステップ１１８において、凸包のサブセットに摂動が存在するにもかかわらず、同様の又は同一の摂動が他の凸包において検出されなかったので、場合によっては心電図信号にアーチファクトが存在すると判断される。
【００３３】
処理は次いで、患者がモニタリングされている限り続く。ステップ１１７から１１８における判断の各々において、ユーザは、必要又は望むのであれば、医師が医療判断を行うことができるように通知されることも可能である。
【００３４】
図１２を見ると、本発明のさらに他の態様による患者をモニタリングする装置の例示的な実施例が示されている。この装置１２０は、複数のリード１２１を有し、モニタリングされた信号を得るために、患者又は他のモニタリング装置に接続している。
【００３５】
モニタリングされた信号は次いで、上述したような様々なモニタリングされた信号間の相関性を決めるプロセッサ１２２に供給される。このプロセッサは、決められた相関性の各々に対する凸包も計算する。これら相関性のプロット及び凸包はディスプレイ１２４に表示されることができる。例えばインテル社のペンティアム（登録商標）プロセッサ、又はそれのメインＣＰＵとしてこのチップを持つコンピュータのような、比較的簡単な計算を行うことが可能である如何なるプロセッサが用いられることもできる。
【００３６】
プロセッサ１２２をプログラムするのに必要な全てのプログラムは、メモリ１２３に記憶されることができる。メモリ１２３は、臨床上重大な事象が起きたか、又はアーチファクトがモニタリングされた信号にノイズを作成したかを判断するために、プロセッサにより使用される値も記憶することができる。メモリ１２３は、上述した判断に到達するために、プロセッサ１２２により必要な中間計算を記憶することもできる。メモリ１２３は、プロセッサ１２２をプログラムするのに必要なプログラム及びその計算を支援するために、プロセッサ１２２により用いられるメモリと同じく、数日のモニタリングされた信号のサンプルを記憶するのに十分な容量を持つＲＡＭとすることができる。この目的のために数ギガバイトが十分である。メモリ１２２はディスクドライブ、一連のメモリスティック等とすることも可能である。
【００３７】
ユーザインタフェースは、キーボード、マウス、及びアーチファクトに対して、注意を必要とする臨床上重大な変化が患者に起きたことをオペレータに警報する他の音響・映像表示器を有する。
【００３８】
ここにおいて様々な実施例が特に説明及び記載されたとしても、本発明の修正及び変更は、上記技術によりカバーされ、本発明の真意及び意図する範囲から外れることなく、添付した特許請求の範囲内にあることは明らかである。例えば、ある信号がモニタリング信号であると論じられるが、しかしながら、本発明の範囲から外れることなく、この技術において他の信号が用いられることも可能である。その上、凸包を計算するある技術は先に述べてあるが、他の技術でも十分である。さらに、これら実施例は、特許請求の範囲によりカバーされる本発明の修正及び変更を制限すると解釈されるべきではなく、単なる可能な変更の説明だとすべきである。
【図面の簡単な説明】
【００３９】
【図１】本発明のある態様による複数のデータストリームを処理する方法のフローチャートの例示的な実施例を示す。
【図２】心不全の患者に対するII １２及びV １３のベクトル心電図を示す。
【図３】心不全の患者に対するII １２及びABP １４のベクトル心電図を示す。
【図４】心不全の患者に対するII １２及びABP １４のベクトル心電図を示す。
【図５】本発明のある態様による患者の潜在的な臨床上重大な変化による、心不全の患者に対するモルフォグラムの全てにおける比例する摂動の実施例を示す。
【図６】本発明のある態様による患者の潜在的な臨床上重大な変化による、心不全の患者に対するモルフォグラムの全てにおける比例する摂動の実施例を示す。
【図７】本発明のある態様による患者の潜在的な臨床上重大な変化による、心不全の患者に対するモルフォグラムの全てにおける比例する摂動の実施例を示す。
【図８】本発明の他の態様に従って存在するアーチファクトを示す別々のモルフォグラムにおける一貫しない摂動の実施例を示す。
【図９】本発明の他の態様に従って存在するアーチファクトを示す別々のモルフォグラムにおける一貫しない摂動の実施例を示す。
【図１０】本発明の他の態様に従って存在するアーチファクトを示す別々のモルフォグラムにおける一貫しない摂動の実施例を示す。
【図１１】本発明の他の態様に従って患者をモニタリングする方法の例示的な実施例を示す。
【図１２】本発明のさらに他の態様に従って患者をモニタリングする装置の例示的な実施例を示す。
【図１】
2007518486.tif 000004
【図２】
2007518486.tif 000005
【図３】
2007518486.tif 000006
【図４】
2007518486.tif 000007
【図５】
2007518486.tif 000008
【図６】
2007518486.tif 000009
【図７】
2007518486.tif 000010
【図８】
2007518486.tif 000011
【図９】
2007518486.tif 000012
【図１０】
2007518486.tif 000013
【図１１】
2007518486.tif 000014
【図１２】
2007518486.tif 000015
【国際調査報告】
2007518486.tif 000016
2007518486.tif 000017
2007518486.tif 000018